(57)【要約】【課題】  グリップ交換可能なラケットを提供する。【解決手段】  本体２０は、フレーム部２２、ハンドル２４、フレーム部２２とハンドル２４とを接続させる接続部２６を備える。ハンドル２４には、２つの貫通孔２４２が形成されている。グリップ３０は４つの貫通孔３２を有し、ハンドル２４の２つの貫通孔２４２の両端にそれぞれ対応する位置に形成されている。グリップ３０は、２つのナット４０と２つのボルト５０とがねじ結合することによりハンドル２４に固定される。これにより、ナット４０及びボルト５０を取り付けまたは取り外しすることにより、グリップ３０を交換することができる。【選択図】図２
0003177142.tif 000002
【実用新案登録請求の範囲】
【請求項１】
フレーム部、少なくとも１つの孔が形成されるハンドル、及び前記フレーム部と前記ハンドルとを接続する接続部からなる本体と、
前記ハンドルを覆うように設けられ、前記ハンドルの孔に対応する位置に形成される少なくとも１つの貫通孔を有するグリップと、
少なくとも一部が前記ハンドルの孔内に設けられるナットと、
前記グリップの貫通孔に挿入され前記ナットとねじ結合するボディ部、及び前記ボディ部の一端に位置し前記グリップの外壁に当接するヘッド部からなるボルトと、
を備えることを特徴とするグリップ交換可能なラケット。
【請求項２】
前記ハンドルの孔は、前記ハンドルを貫通し、
前記グリップが有する２つの貫通孔は、それぞれ前記ハンドルの孔の両端に対応する位置に形成され、前記ナットのボディ部は前記グリップの貫通孔に挿入され前記ボルトとねじ結合し、前記ナットのヘッド部は前記ナットのボディ部の一端に位置し前記グリップの外壁に当接することを特徴とする請求項１に記載のグリップ交換可能なラケット。
【請求項３】
前記ハンドルの孔は、底部を有する有底孔であることを特徴とする請求項１に記載のグリップ交換可能なラケット。
【請求項４】
前記ナットの軸方向に垂直な断面の形状は、非円形であることを特徴とする請求項３に記載のグリップ交換可能なラケット。
【請求項５】
前記ハンドルと前記グリップとの間には少なくとも１つの衝撃吸収部材が設けられることを特徴とする請求項１に記載のグリップ交換可能なラケット。
【請求項６】
前記ハンドルの内壁は、前記衝撃吸収部材が設けられる少なくとも１つの溝部を有することを特徴とする請求項５に記載のグリップ交換可能なラケット。
【請求項７】
前記グリップの内壁は、前記ハンドルと接触しない少なくとも１つの非接触部を有することを特徴とする請求項１に記載のグリップ交換可能なラケット。
【請求項８】
前記非接触部は、陥没していることを特徴とする請求項７に記載のグリップ交換可能なラケット。
【請求項９】
前記非接触部は、貫通孔であることを特徴とする請求項７に記載のグリップ交換可能なラケット。
【考案の詳細な説明】
【技術分野】
【０００１】
本考案は、運動器材に関し、より詳しくは、グリップ交換可能なラケットに関する。
【背景技術】
【０００２】
テニスラケットやバドミントンラケット等のラケットは、通常、グリップの太さやラケットの重量等の特性は全て固定されており、ユーザーが自由に特定の特性を有するラケットを選択させることは出来なかった。もしユーザーが間違ってグリップが太すぎたり細すぎたりするラケットを購入した場合、一定の期間を過ぎると返品が出来ない為、また新しくラケットを購入せねばならず、ユーザーの経済的負担が増す。特に成長期の子供の場合は掌も成長するため、もし毎年異なるサイズのグリップのラケットに交換させると費用がかかりすぎる。
【考案の概要】
【考案が解決しようとする課題】
【０００３】
しかしながら、近年地球温暖化が進み、地球上の資源も日増しに枯渇してゆき、資源の分別回収、再利用、環境に配慮した製品を選択して購入する等の努力が世界規模で拡がっている。従来のラケットのフレームが損壊したり、ユーザーがグリップの太さに慣れなかったりした場合、古いラケットを破棄し新品を購入するしかなく、このような問題は成長期の子供では特に顕著である。このために毎年破棄されるラケットの数を鑑みると、地球資源の浪費及びゴミ処理問題に繋がっており、如何にラケットの再利用性を上げ環境への負荷を減らすか業界では研究を重ね改良を続けている。
【０００４】
また、従来のラケット、例えばテニスラケットはフレーム部、フレーム部から延びて突出する接続部、及び接続部の末端に設けられるグリップを有する。ラケットの網でボールを打つ際に発生する振動は、フレーム部、接続部及びグリップを経由しユーザーの手に直接伝わるため、競技時間が増すとユーザーの手にスポーツ障害が起こりやすくなる。このため如何にラケットの衝撃吸収効果を向上させるかも、業界が努力し解決せねばならない問題である。
【０００５】
本考案の目的は、グリップ交換可能なラケットを提供することにある。
【課題を解決するための手段】
【０００６】
本考案に係るグリップ交換可能なラケットは、フレーム部、少なくとも１つの孔が形成されるハンドル、及びフレーム部とハンドルとを接続する接続部からなる本体と、本体のハンドルを覆うように設けられ、ハンドルの孔に対応する位置に形成される少なくとも１つの貫通孔を有するグリップと、少なくとも一部分がハンドルの孔内に設けられるナットと、グリップの貫通孔に挿入されナットとねじ結合するボディ部、及びボディ部の一端に位置しグリップの外壁に当接するヘッド部からなるボルトを備えることを特徴とする。
【０００７】
本考案のラケットは異なるサイズ或いは材質のグリップに交換でき、ユーザーがグリップに馴染めないだけでラケットを破棄せねばならなくなる状況を回避させ、ユーザーの経済的負担を減らすことができる。
【０００８】
また、ラケットの再利用性を高め、環境負荷を減らすことができる。
【０００９】
また、異なる材質のグリップに交換することで異なる衝撃吸収特性を与え、更には本考案のグリップ交換可能なラケットのハンドルとグリップとの間に衝撃吸収部材を設けてボールのインパクト時に発生する振動を吸収し、ユーザーの手に伝わる作用力を大幅に減少させることができる。これにより、良好な衝撃吸収効果を提供することができ、ユーザーの手に発生するスポーツ障害を防ぐことができる。
【図面の簡単な説明】
【００１０】
【図１】本考案に係る第１実施形態のグリップ交換可能なラケットの斜視図である。
【図２】本考案に係る第１実施形態のグリップ交換可能なラケットの分解斜視図である。
【図３】本考案に係る第１実施形態のグリップ交換可能なラケットの部分断面図である。
【図４】図１の４−４切断線に沿って切断した断面図である。
【図５】本考案に係る第２実施形態のグリップ交換可能なラケットの部分断面図である。
【図６】図５の６−６切断線に沿って切断した断面図である。
【図７】本考案に係る第３実施形態のグリップ交換可能なラケットのグリップの断面図である。
【図８】本考案に係る第４実施形態のグリップ交換可能なラケットのグリップの断面図である。
【考案を実施するための形態】
【００１１】
以下に図面を参照して、本考案を実施するための形態について、詳細に説明する。
【００１２】
（第１実施形態）
本考案の第１実施形態のグリップ交換可能なラケットを図１から図４に示す。ここではテニスラケットを例に説明する。ラケット１０は、本体２０、グリップ３０、２つのナット４０及び２つのボルト５０を主に備える。
【００１３】
本体２０は、フレーム部２２、ハンドル２４、フレーム部２２とハンドル２４とを接続する接続部２６を備える。
【００１４】
ハンドル２４には、ハンドル２４の中心軸上に２つの貫通孔２４２が形成されている。本体２０は、複合材料、例えば繊維強化樹脂で製造され、繊維はカーボンファイバー、グラスファイバー、ボロン繊維或いはケブラー（登録商標）繊維等であり、樹脂は熱可塑性樹脂或いは熱硬化性樹脂等である。
【００１５】
グリップ３０は４つの貫通孔３２を有し、ハンドル２４の２つの貫通孔２４２の両端にそれぞれ対応する位置に形成されている。グリップ３０は本体２０と同じ複合材料により製造されるか、或いは熱可塑性ポリウレタンＴＰＵ（Ｔｈｅｒｍｏｐｌａｓｔｉｃ  Ｐｏｌｙｕｒｅｔｈａｎｅ）、ないしはプラスチック射出方式により製造される。
【００１６】
図３は、ハンドル２４とグリップ３０との軸方向の断面図である。グリップ３０はハンドル２４を覆うとともに２つのナット４０と２つのボルト５０とがねじ結合することによりハンドル２４に固定される。ボルト５０のボディ部５２がグリップ３０の貫通孔３２及びハンドル２４の貫通孔２４２に挿入される。ボルト５０のボディ部５２は、グリップ３０の貫通孔３２及びハンドル２４の貫通孔２４２に設けられているナット４０のボディ部４２とねじ結合する。また、ボルト５０のヘッド部５４およびナット４０のヘッド部４４は、それぞれグリップ３０の外壁に当接する。図４によると、グリップ３０の内壁には複数の非接触部３６を有し、グリップ３０の重量を減量させることができる。また、複数の非接触部３６を有することにより、グリップ３０がハンドル２４を覆うとき、非接触部３６はハンドル２４に接触しない。但し、ラケットの重量が制限されない状況下では、非接触部３６を有しなくてもよい。ナット４０及びボルト５０は、必要に応じユーザーが自ら取り外し或いは取り付けを行い、ユーザーが自分で異なるグリップに交換し、ハンドル２４と特定のサイズのグリップとを組み合わせることができる。また、グリップ３０の底端には表札７０を設置させる凹部３４が形成されている。本実施形態では、ナット４０のボディ部４２はハンドル２４の貫通孔２４２に挿入される。
【００１７】
ラケット１０のグリップ３０を異なるサイズ或いは材質に交換する場合、例えば成長期の子供が大きくなった時に大き目のサイズのグリップ３０に交換する場合、本体２０をそのまま使用でき、ユーザーがグリップに馴染めないだけでラケットそのものを破棄する状況を回避でき、ラケットの再利用性を高め、ユーザーの経済的負担を減らすのみならず、環境負荷を軽減できる。
【００１８】
また、グリップ３０とハンドル２４とに異なる材質を用いる場合、両者を伝わる振動波の速度が異なるため、ボールのインパクト時にフレーム部２２から伝播する振動波は、ハンドル２４からグリップ３０へと伝わる際に弱くなり、グリップ３０に好ましい衝撃吸収効果を持たせることができる。グリップ３０とハンドル２４とに同じ材質を用いる場合、振動波がグリップ３０とハンドル２４との境界を通過するとき、その強さを減衰することができる。
【００１９】
また、図２によれば、より好ましい衝撃吸収效果を得るため、ハンドル２４とグリップ３０との間に３つの環状を呈する衝撃吸収部材６０を設けることができる。衝撃吸収部材６０は、弾性を有するプラスチック或いはゴム材質、例えば軟質の熱可塑性ゴム（ｔｈｅｒｍｏｐｌａｓｔｉｃ  ｒｕｂｂｅｒ)、ポリウレタン、ナイロン系熱可塑性エラストマー（ＰＥＢＡＸ）等から形成される。衝撃吸収部材６０は、ハンドル２４の３つの溝部２４４内にそれぞれ設けられる。これにより、振動波は衝撃吸収部材６０に吸収されて更に減弱され、ユーザーの手に伝播する作用力が大幅に減少し、良好な衝撃吸収効果を発揮することができるため、ユーザーの手に発生するスポーツ障害の可能性を減らすことができる。
【００２０】
（第２実施形態）
本考案の第２実施形態のグリップ交換可能なラケットを図５および図６に示す。
図５は、第２実施形態のグリップ交換可能なラケットの断面図である。ハンドル２４の孔は、底部２４６１を有する有底孔２４６である。ナット４０は、ハンドルの有底孔２４６内に固定されている。また、ナット４０は２つの平面４１を有している。図６に示すように、ナット４０の軸方向に垂直な断面の形状が非円形であるため、ナット４０が受けるモーメントが大きい場合、ハンドル２４が回転することを回避できる。
【００２１】
（第３実施形態）
本考案の第３実施形態のグリップ交換可能なラケットを図７に示す。
図７は、第３実施形態のグリップ交換可能なラケットのグリップ３０の断面図である。第３実施形態のグリップ交換可能なラケットのグリップ３０は、第１および第２実施形態のグリップ交換可能なラケットのグリップに比べ外径Ｌ１は大きく、グリップ３０の内壁には第１および第２実施形態に比べ大きな複数の非接触部３６を設けられている。第３実施形態の非接触部３６は、円筒形状の陥没３６２であり、グリップ３０の重さは第１および第２実施形態のグリップ交換可能なラケットと同じ重さである。
【００２２】
（第４実施形態）
本考案の第４実施形態のグリップ交換可能なラケットを図８に示す。
図８は第４実施形態のグリップ交換可能なラケットのグリップ３０の断面図であり、第４実施形態では、非接触部３６は筒状の貫通孔３６４である。これにより、グリップ３０の重さが第１〜３実施形態と同じ重さになるだけでなく、グリップ３０の弾性及び通気性を更に高めることができる。
【００２３】
本考案のグリップ交換可能なラケットは、ユーザーの必要に応じ特定のサイズのグリップとハンドルとを相互に結合させ、使用上更なる応用性を有するのみならず、ラケット自体の交換回数を更に減少させ、ラケットの再利用性を高める。また、異なる材質のグリップに交換させることで異なる衝撃吸収特性や触感を与え、更にはハンドルとグリップとの間に衝撃吸収部材を設置させて衝撃吸収効果を向上させることができる。
【００２４】
（他の実勢形態）
（ａ）上述の実施形態では、グリップ交換可能なラケットは、テニスラケットとした。しかしながら、ラケットの種類はこれに限定されない。バドミントンラケット、スカッシュラケット或いは他のラケットであってもよい。
【００２５】
（ｂ）上述の実施形態では、ハンドルに形成される孔は２つであるとした。しかしながら、ハンドルに形成される孔の数および形成される位置はこれに限定されない。形成される数及び形成する位置を変えてもよい。
【００２６】
（ｃ）上述の第１実施形態では、衝撃吸収部材の３つ備え、ハンドルに形成される溝部を３つ形成するとした。しかしながら、衝撃吸収部材及び溝部の数及び形成される位置はこれに限定されない。衝撃吸収部材及び溝部の数及び形成される位置を変えてもよいし、衝撃吸収部材及び溝部を設置させなくてもよい。
【００２７】
（ｄ）上述の第３実施形態では、非接触部の形状は円筒形状であるとした。また上述の第４実施形態では、非接触部の形状は貫通孔であるとした。しかしながら、非接触部の形状はこれに限定されない。
【００２８】
以上、本考案はこのような実施形態に限定されるものではなく、考案の趣旨を逸脱しない範囲において、種々の形態で実施することができる。
【符号の説明】
【００２９】
１０    ・・・ラケット、
２０    ・・・本体、
２２    ・・・フレーム部、
２４    ・・・ハンドル、
２４２  ・・・貫通孔、
２４４  ・・・溝部、
２４６  ・・・有底孔、
２４６１・・・底部、
２６    ・・・接続部、
３０    ・・・グリップ、
３２    ・・・貫通孔、
３４    ・・・凹部、
３６    ・・・非接触部、
３６２  ・・・円筒形凹部、
３６４  ・・・円筒形貫通孔、
４０    ・・・ナット、
４２    ・・・ボディ部、
４４    ・・・ヘッド部、
５０    ・・・ボルト、
５２    ・・・ボディ部、
５４    ・・・ヘッド部、
６０    ・・・衝撃吸収部材、
７０    ・・・表札、
Ｌ１    ・・・外径、
Ｌ２    ・・・外径。
【図１】
0003177142.tif 000003
【図２】
0003177142.tif 000004
【図３】
0003177142.tif 000005
【図４】
0003177142.tif 000006
【図５】
0003177142.tif 000007
【図６】
0003177142.tif 000008
【図７】
0003177142.tif 000009
【図８】
0003177142.tif 000010